(57)【要約】【課題】静電気を確実かつ容易に逃がすことができる保持枠構造により静電気に起因する不具合をなくすことのできる電気光学装置を提供する。【解決手段】本発明の電気光学装置１００は、電気光学パネル２０と、電気光学パネルを直接若しくは間接的に保持する保持枠３０とを具備し、保持枠は、樹脂基材３０ｘと金属部材３０ｙとが一体化されてなる枠形状を有し、金属部材は、樹脂基材の内部に包摂される内在部３０ｙ１と、樹脂基材から樹脂基材の表面に囲まれた態様で露出する露出部３０ｙ２とを有し、露出部は、保持枠の枠形状の内面の厚み方向の中間部分において枠形状の内側に露出する内側露出部３０ｙ２を含み、保持枠の内側に保持される電気光学パネルその他の部材の少なくともいずれか一つが内側露出部に当接している。【選択図】図２
2008256955.tif 000002
【特許請求の範囲】
【請求項１】
電気光学パネルと、該電気光学パネルを直接若しくは間接的に保持する保持枠とを具備
する電気光学装置であって、
前記保持枠は、樹脂基材と金属部材とが一体化されてなる枠形状を有し、
前記金属部材は、前記樹脂基材の内部に被覆される内在部と、前記樹脂基材から露出す
る露出部とを有し、
前記露出部は、前記保持枠の枠形状の厚み方向の中間部分において該枠形状の内側に露
出する内側露出部を含み、
前記保持枠の内側に保持される前記電気光学パネル及びその他の部材の少なくともいず
れか一つが前記内側露出部に当接していることを特徴とする電気光学装置。
【請求項２】
前記内在部は前記枠形状の断面上において屈曲した断面形状を有することを特徴とする
請求項１に記載の電気光学装置。
【請求項３】
前記露出部は、前記枠形状の外側に臨む外側露出部を含み、
前記内側露出部と前記外側露出部とが相互に導電接続されていることを特徴とする請求
項１又は２に記載の電気光学装置。
【請求項４】
前記内側露出部が前記保持枠の内側に保持される前記電気光学パネル及びその他の部材
の少なくともいずれか一つの支持面の少なくとも一部を構成することを特徴とする請求項
１乃至３のいずれか一項に記載の電気光学装置。
【請求項５】
前記電気光学パネルと平面的に重なる面状照明装置をさらに有し、該面状照明装置の構
成部材が前記保持枠に保持されていることを特徴とする請求項１乃至４のいずれか一項に
記載の電気光学装置。
【請求項６】
前記電気光学パネルの外面に外部電極が設けられ、該外部電極が前記露出部に導電接続
されていることを特徴とする請求項１乃至５のいずれか一項に記載の電気光学装置。
【請求項７】
前記金属部材は板状材で構成されていることを特徴とする請求項１乃至６のいずれか一
項に記載の電気光学装置。
【請求項８】
請求項１乃至７のいずれか一項に記載の電気光学装置と、該電気光学装置を制御する制
御手段とを具備することを特徴とする電子機器。
【発明の詳細な説明】
【技術分野】
【０００１】
本発明は電気光学装置及び電子機器に係り、特に、電気光学パネルを直接若しくは間接
的に保持する保持枠の構造に関する。
【背景技術】
【０００２】
一般に、電気光学装置を構成する液晶表示体においては、電気光学パネルである液晶パ
ネルと、この液晶パネルを背後から照明する面状照明装置であるバックライトとを平面的
に重ねた状態とし、面状照明装置から照射される照明光に基づいて所定の表示態様を実現
するように構成される。面状照明装置としては、たとえば、ＬＥＤ等の光源と、該光源か
ら放出された光を端面である光入射面より導入して表面である光出射面より出射するよう
に構成された導光板とを備えたものが知られている。ここで、面状照明装置の上記導光板
は電気光学パネルの駆動領域（表示領域）と平面的に対応するように配置される。
【０００３】
上記の面状照明装置及び電気光学パネルは、白色樹脂等よりなる保持枠によって直接若
しくは間接的に保持された状態とされる。この場合、当該保持枠によって上記導光板と電
気光学パネルの重なり姿勢及び平面位置が保持され、一体の表示体として構成される。ま
た、保持枠の背面側にはステンレス鋼などの金属素材で構成される金属フレームが取付け
固定される場合もある。
【０００４】
上記の保持枠としては、箱状の枠形状を有する金属フレームの一部（たとえば周縁部や
立設壁の内側など）に樹脂を一体に設けたものが知られている（たとえば、以下の特許文
献１又は２）。このような保持枠によれば、樹脂と金属フレームとが一体化されることで
、枠強度の向上や組立作業の容易化などの効果が得られ、保持枠の小型化・薄型化にも十
分に対応できるものとなっている。これらの保持枠では、バックライトを構成する光源、
導光板、及び、光学シート、或いは、電気光学パネルを白色の上記樹脂部分で保持するこ
とによってバックライトの光を効率的に電気光学パネルにて利用できるようにしている。
【特許文献１】特開２００３−２０２５５０号公報
【特許文献２】特開２００４−２４０２３９号公報
【発明の開示】
【発明が解決しようとする課題】
【０００５】
ところで、近年の電気光学装置の小型化、薄型化の進展に伴い、パネル自体も静電気に
よる影響を受けやすくなっており、また、パネルの表示原理上から静電気による表示への
影響が大きいものも存在する。しかしながら、前述の保持枠では電気光学パネルや面状照
明装置を樹脂部分で保持するように構成されているため、静電気が外部に逃げにくく、帯
電しやすい環境となっていることから、パネルの損傷や表示不良などが発生する虞があり
、さらに、帯電した静電気は、導電性を有する物体（例えば観察者の手）が近接し、或い
は接触すると放出され、ノイズが発生する場合もある。
【０００６】
また、前述の従来の保持枠では、金属フレームを主体として構成し、この金属フレーム
の一部に樹脂部分を付着させて電気光学パネル等を支持するように構成されているため、
樹脂部分の金属フレームに対する密着力が不十分になりやすいとともに、樹脂部分の位置
精度が得られにくく、さらには保持枠全体の剛性を高めることができないため、電気光学
装置の小型化、薄型化に充分に対応できないといった問題点もある。
【０００７】
そこで、本発明は上記問題点を解決するものであり、その課題は、静電気を確実かつ容
易に逃がすことができる保持枠構造により静電気に起因する不具合をなくすことのできる
電気光学装置を提供することにある。また、保持枠の密着力、形状精度、剛性などを向上
させることにより、小型化、薄型化にも充分に対応できる電気光学装置の構造を実現する
ことにある。
【課題を解決するための手段】
【０００８】
斯かる実情に鑑み、本発明の電気光学装置は、電気光学パネルと、該電気光学パネルを
直接若しくは間接的に保持する保持枠とを具備する電気光学装置であって、前記保持枠は
、樹脂基材と金属部材とが一体化されてなる枠形状を有し、前記金属部材は、前記樹脂基
材の内部に被覆される内在部と、前記樹脂基材から露出する露出部とを有し、前記露出部
は、前記保持枠の枠形状の厚み方向の中間部分において該枠形状の内側に露出する内側露
出部を含み、前記保持枠の内側に保持される前記電気光学パネルその他の部材の少なくと
もいずれか一つが前記内側露出部に当接していることを特徴とする。
【０００９】
この発明によれば、金属部材の露出部が上記枠形状の厚み方向の中間部分において枠形
状の内側に臨む内側露出部を含み、この内側露出部が電気光学パネル若しくはこれとの間
に介在する他部材に当接していることにより、保持枠の内側に保持される電気光学パネル
その他の部材、特に、保持枠の内側に保持される内部構造の厚み方向の中間位置にある部
材に生じた静電気をも金属部材を通して逃がすことができるため、静電気による不具体が
発生する虞を低減することができる。また、保持枠が樹脂基材と金属部材が一体化されて
なる枠形状を有し、金属部材に樹脂基材の内部に被覆される内在部と、樹脂基材から樹脂
基材の表面に囲まれた態様で露出する露出部とを有することで、樹脂基材と金属部材との
密接部分の面積を増大させて一体性を高めることができるため、樹脂基材と金属部材との
密着力を増大させることができ、また、枠形状の形状精度を向上させることができると共
に、当該枠形状の全体の剛性を高めることが可能になる。
【００１０】
本発明において、前記内在部は前記枠形状の断面上において屈曲した断面形状を有する
ことが好ましい。これによれば、樹脂基材中に被覆された金属部材の内在部が枠形状の断
面上において屈曲した断面形状を有することで、樹脂基材と金属部材の一体性をさらに高
めることができることから、保持枠の強度、形状精度及び剛性をさらに向上させることが
できる。
【００１１】
本発明において、前記露出部は、前記枠形状の外側に臨む外側露出部を含み、前記内側
露出部と前記外側露出部とが相互に導電接続されていることが好ましい。これによれば、
保持枠の内側に保持される電気光学パネルその他の部材と内側露出部とが当接し、この内
側露出部と外側露出部とが導電接続されていることで、電気光学パネル若しくは上記他部
材から外側露出部を通して静電気を逃がすことが容易になる。たとえば、外側露出部を金
属フレーム、回路基板の接地電位などと接続するなど、静電気の放出経路を容易に構成で
きる。
【００１２】
本発明において、前記内側露出部が前記保持枠の内側に保持される電気光学パネル及び
その他の部材の少なくともいずれか一つの支持面の少なくとも一部を構成することが好ま
しい。これによれば、内側露出部の表面を電気光学パネル及びその他の部材の支持面とす
ることで、保持枠の成形時の上記支持面の形状精度を得ることができる。特に、当該支持
面を構成する内側露出部が背後から樹脂基材で支持されている場合には、支持強度も確保
することができるため、位置決め精度をさらに高めることができる。
【００１３】
本発明において、前記電気光学パネルと平面的に重なる面状照明装置をさらに有し、該
面状照明装置の構成部材が前記保持枠に保持されていることが好ましい。これによれば、
上記のその他の部材が面状照明装置の構成部材に相当することとなり、面状照明装置と電
気光学パネルの相対的な位置決めを行うことができる。
【００１４】
本発明において、前記電気光学パネルの外面に外部電極が設けられ、該外部電極が前記
露出部に導電接続されていることが好ましい。これによれば、外部電極から露出部を通し
て静電気を逃がすことが可能になる。この場合、上記露出部としては、上記内側露出部に
導電接続されることが好ましいが、外側露出部に導電接続されていてもよい。
【００１５】
本発明において、前記金属部材は板状材で構成されていることが好ましい。金属部材が
板状材で構成されることで、屈折形状や平坦な支持面等を形成しやすくなる。
【００１６】
また、本発明の電子機器は、上記の電気光学装置と、該電気光学装置を制御する制御手
段とを具備することを特徴とする。この電子機器としては、電気光学装置を表示手段とし
、制御手段を表示制御手段として搭載してなる表示機能付き電子機器が例示される。
【発明を実施するための最良の形態】
【００１７】
［第１実施形態］
図１は本発明に係る第１実施形態の電気光学装置１００の全体構成を示す分解斜視図、
図２は図１のII−II線に沿った部分縦断面図である。本実施形態の電気光学装置１００は
、面状光源として構成される照明体１０と、この照明体１０の手前側に重ねて配置される
電気光学パネル２０と、照明体１０及び電気光学パネル２０を直接若しくは間接的に保持
する保持枠３０とを有している。
【００１８】
照明体１０は電気光学装置２０の背後に配置されてバックライトとして機能するもので
あり、図示例の場合、いわゆるサイドライト型（エッジライト型）の照明装置により構成
されている。照明体１０は、ＬＥＤ（発光ダイオード）等の点状光源よりなる１又は複数
の光源１１と、この光源１１から放出された光を伝播させ、表面より出射する導光板１２
と、導光板１２の背後（裏面上）に配置される反射シート１３と、導光板１２の表面上に
配置される１又は複数の光学シート（光拡散シートや集光用プリズムシートなど）１４と
を備えている。
【００１９】
電気光学パネル２０は、ガラス等よりなる基板２１と２２の間に図示しない液晶等の電
気光学物質を配置してなるものであり、図示例の場合には液晶表示パネルを構成する。基
板２１と２２の外面上にはそれぞれ偏光板２６及び２７が貼着等によって配置されている
。基板２１には基板２２の外形より外側へ張り出した基板張り出し部２１Ｔが設けられて
いる。この基板張り出し部２１Ｔ上には、電気光学パネル２０の駆動領域（表示領域）２
０Ａ内から引き出された図示しない配線が設けられ、また、これらの配線と導電接続され
た駆動回路２８が実装されている。なお、この基板張り出し部２１Ｔには、外部より電源
電位や映像信号等を供給するための図示しない配線部材、たとえばフレキシブル配線基板
などが接続される。
【００２０】
本実施形態の場合、電気光学パネル２０は厚みが０．５ｍｍ以下、たとえば、０．３〜
０．４ｍｍ程度に構成された極めて薄いパネル構造を有している。これは、携帯電話機用
の液晶表示パネルのように近年の電子機器の小型化に伴った小型化及び薄型化の結果であ
る。このような薄型の電気光学パネル２０では、上記基板２１，２２として０．１〜０．
３ｍｍといった極めて薄いガラスやプラスチック等よりなる基板が用いられる。このよう
な基板は本来的には十分な耐衝撃性を備えたものとされるが、組み立て作業中の不用意な
取り扱いによって容易に損傷を受ける場合がある。
【００２１】
電気光学パネル２０の外周部には遮光層２５が上記駆動領域２０Ａを取り囲むように枠
状に構成されている。図示例では遮光層２５は基板２２の内面上に形成されている。遮光
層２５によって形成される遮光領域は、駆動領域２０Ａの外側にある、液晶が十分に制御
されていない外縁範囲の光漏れを防止するためのものである。
【００２２】
本実施形態では、照明体１０は保持枠３０に収容され、この保持枠３０の上部に上記電
気光学パネル２０が位置決めされた状態で保持される。保持枠３０は、高い光反射率を備
えた素材、たとえば白色ポリエチレン等の樹脂（絶縁体）で構成される。この保持枠３０
は本来的にバックライトを構成するためのバックライトケースとして用いられるものであ
るが、多くの場合、本実施形態のように電気光学パネル２０の概略の位置決めを行うため
のケースとしても機能する。保持枠３０は全体として枠形状を有し、より具体的には矩形
枠状に構成されている。
【００２３】
図１は保持枠３０に照明体１０を装着したところに電気光学パネル２０を組み込む際の
状況をも示している。保持枠３０に対して上記光源１１、導光板１２、反射シート１３及
び光学シート１４を順次に組み込んだ後に、矩形枠状に構成された遮光性両面接着テープ
４０を照明体１０上に取り付ける。この遮光性両面接着テープ４０は、表裏両面に粘着層
を備えた両面接着テープであるとともに、遮光性を備えた遮光シートでもある。
【００２４】
図２に示すように、保持枠３０には、その枠形状の内面の厚み方向の中間部分に設けら
れた内側支持面３０ｓを有し、この内側支持面３０ｓの下方に上記導光板１２、反射シー
ト１３及び光学シート１４が収容されている。また、保持枠３０の上記内側支持面３０ｓ
及び上記光学シート１４の表面には遮光性両面接着テープ４０の裏面が接着されている。
したがって、この遮光性両面接着テープ４０は照明体１０を保持枠３０内に保持するため
の保持機能を有している。
【００２５】
また、遮光性両面接着テープ４０上には電気光学パネル２０の外周部が接着固定され、
これによって電気光学パネル２０が保持枠３０の内側の厚み方向の上部内に保持されてい
る。すなわち、遮光性両面接着テープ４０は電気光学パネル２０を保持枠３０の内部に保
持するための保持機能をも有している。そして、このように構成されている結果、電気光
学パネル２０の外縁部は照明体１０及び保持枠３０に固定された遮光性両面接着テープ４
０に支持された状態となる。
【００２６】
保持枠３０は、上記の白色樹脂等で構成される樹脂基材３０ｘと、ステンレス鋼、アル
ミニウム等の金属素材で構成された金属部材３０ｙとが一体に構成されてなる。金属部材
３０ｙは板状材で構成されている。図１に示すように、図示例では、金属部材３０ｙが保
持枠３０の枠形状の全周にわたって内在し、これによって保持枠３０の剛性を高めている
。電気光学装置１００が薄型化される場合には保持枠３０も薄型化する必要があり、それ
によって全体として保持枠３０の剛性が低下するが、本実施形態では枠形状の全周にわた
って金属部材３０が内在することで、保持枠３０の剛性の低下を抑制できる。また、本実
施形態では保持枠３０の一部に枠形状（矩形枠状）の内部にて架設されたブリッジ部３０
Ｐが設けられ、このブリッジ部３０Ｐが光源１１及び導光板１２の端面近傍を支持してい
るが、このブリッジ部３０Ｐ内にも金属部材３０ｘが内在することで、さらに剛性を高め
ることができ、各部の位置決め精度を確保できる。
【００２７】
金属部材３０ｙは全体的若しくは部分的に屈曲した形状を備えている。図示例では、図
２に示すように金属部材３０ｙは保持枠３０の枠形状の断面上でＬ字状に屈折した断面形
状を備えている。もちろん、当該断面形状はＬ字状の屈折形状に限らず、Ｖ字状、クラン
ク状の屈折形状でもよく、或いは、円弧状、Ｊ字状などの湾曲形状であっても構わない。
【００２８】
本実施形態において、金属部材３０ｙは基本的には樹脂基材３０ｘ中に被覆されたもの
となっているが、その一部は保持枠３０の表面に露出している。すなわち、金属部材３０
ｙは、樹脂基材３０ｘに被覆された内在部３０ｙ１と、樹脂基材３０ｘから露出した露出
部３０ｙ２とを有している。本実施形態の場合、露出部３０ｙ２は枠形状の内側の厚み方
向の中間部分に露出してなる内側露出部となっている。
【００２９】
図示例の場合、上記露出部（内側露出部）３０ｙ２は内側支持面３０ｓにおいて露出し
、換言すれば、上記内側支持面３０ｓの一部を構成する表面を備えたものとなっている。
【００３０】
この場合、露出部３０ｙ２の表面（図示上面）が樹脂成形時において金型等のキャビテ
ィ内面に当接した状態で保持枠３０が形成され、しかも、保持枠３０の完成状態で当該露
出部３０ｙ２の表面は樹脂基材３０ｘによって背後から支持されたものとなっているので
、露出部３０ｙ２の表面精度はきわめて高く、したがって、当該露出部３０ｙ２の表面を
支持面として用いることで、位置決め精度を大幅に向上させることができる。
【００３１】
また、上記のように金属部材３０ｙの露出部３０ｙ２が枠形状の厚み方向の中間部分に
て露出していることにより、上記のように各部材の支持面として用いることができるだけ
でなく、各部材の静電気を金属部材３０ｙに逃がすことができるという利点が得られる。
この利点は、特に電気光学装置の小型化・薄型化等により静電気の影響が大きくなる場合
に特に有効である。
【００３２】
図３は上記とは異なる断面形状を示す拡大部分断面図である。この断面形状では、露出
部３０ｙ２が内側支持面３０ｓ上に露出している点では上記第１実施形態と同様であるが
、露出部３０ｙ２が光学シート１４を支持している点で異なる。また、露出部３０ｙ２の
内端縁が導光板１２の端面に対向し、導光板１２を平面方向に位置決めしている。すなわ
ち、この場合には露出部３０ｙ２の上面だけでなく、その内端縁も上記内側支持面となる
。なお、当該内側支持面は本発明の上記支持面に相当する。
【００３３】
図４はさらに異なる断面形状を示す拡大部分断面図である。この断面形状では、内側支
持面３０ｓとは別の内側支持面３０ｔが設けられ、この内側支持面３０ｔ上に露出部３０
ｙ２が支持された状態で露出している。この露出部３０ｙ２の表面は導光板１２を支持す
る内側支持面となっている。また、この金属部材３０ｙは、上記内側支持面である表面を
備えた露出部３０ｙ２が平面方向外側に延在し、当該平面方向外側に延在する部分の外縁
から屈曲して上方に延在する部分を有する断面略Ｌ字形状を有している。このようにする
ことで、保持枠３０の断面積を低減しつつ、充分な剛性を確保することができる。なお、
この断面形状において、上記第１実施形態や図３に示す例のように内側支持面３０ｔの一
部を露出部３０ｙ２の表面が構成するように、すなわち、内側支持面３０ｔと露出部３０
ｙ２の表面の高さが一致するように構成しても構わない。
【００３４】
図５はさらに別の断面形状を示す拡大部分断面図である。この断面形状では、金属部材
３０ｙの露出部３０ｙ２が保持枠３０の内側支持面３０ｓ上に配置されるなど、枠形状の
内側に露出してなる内側露出部を備えていると同時に、他の露出部３０ｙ３が保持枠３０
の枠形状の外側に露出した外側露出部となっている。そして、上記の内側露出部３０ｙ２
と外側露出部３０ｙ３とが単一の金属部材３０ｙに共に設けられることで相互に導電接続
された状態となっている。
【００３５】
この例では、内側露出部３０ｙ２が電気光学パネル２０の外面上に設けられた外部電極
２９に当接し、導電接続されている。このため、外部電極２９は保持枠３０の外側に露出
した外側露出部３０ｙ３と導電接続されていることとなる。したがって、種々の理由によ
って電気光学パネル２０と外部とを導電接続する場合に好適に用いることができる。たと
えば、電気光学パネル２０の一部から静電気を逃がすために、当該一部と外部電極２９と
を導電接続しておくことが考えられる。
【００３６】
また、本例では、保持枠３０に金属フレーム４１を装着する構造を有しており、この金
属フレーム４１は保持枠３０に対する装着状態において上記外側露出部３０ｙ３に導電接
続されるように構成されている。したがって、上記の静電気を当該金属フレーム４１に逃
がすことが可能になる。ここで、特に限定されるものではないが、本図示例では外側露出
部３０ｙ３側に係合部（図示例では凸部）を設け、この係合部に対応する被係合部（図示
例では凹部）を金属フレーム４１側に設けることで、金属フレーム４１が外側露出部３０
ｙ３に直接装着されるようになっている。なお、本例のように、金属フレーム４１と保持
枠３０の外側露出部を有するとともに、金属フレーム４１と保持枠３０の外側露出部とが
電気的に導通している構成、並びに、内側露出部と外側露出部とが電気的に導通している
構成は、本明細書中の他の実施形態や構成例においても同様に適用可能である。
【００３７】
図６は、金属部材３０ｙの断面形状以外の点については図２に示す構成例と基本的に同
様の別の構成例を示すもので、図中の同一部分には同一符号を付してある。この図６に示
す構成例において、金属部材３０ｙは図２に示す構成例と同様に、内在部３０ｙ１の一部
に屈折若しくは屈曲した部位３０ｙａを有するだけでなく、当該内在部３０ｙ１のさらに
もう一つの部位３０ｙｂでも屈折若しくは屈曲している。具体的には、内側から外側に向
かって伸びた後に部位３０ｙａでほぼ直角に屈折し、さらにその下方の部位３０ｙｂにお
いて内側に折り返してなる断面形状を有している。このような断面形状であれば、金属部
材３０ｙの剛性をさらに高めることができる。なお、このような断面構造は他の構成例で
も同様に適用可能である。
【００３８】
［第２実施形態］
次に、添付図面を参照して本発明の実施形態について詳細に説明する。図７は本発明に
係る第２実施形態の電気光学装置に用いられる保持枠５０を斜め上方より見た様子を示す
上方斜視図、図８は同保持枠５０を斜め下方より見た様子を示す下方斜視図、図９は図７
のＶ−Ｖ線に沿った断面を保持枠の内側に配置される内部構造と共に示す拡大部分断面図
、図１０は図７のVI−VI線に沿った断面を同内部構造とともに示す拡大部分断面図である
。
【００３９】
この保持枠５０は、全体として枠形状（矩形枠状）を有し、樹脂基材５０ｘと金属部材
５０ｙとがインサート成形法により一体に成形加工されてなる。樹脂基材５０ｘは全体と
して枠形状に構成され、金属部材５０ｙは枠形状の多くの部分にわたり存在するように構
成されているが、図示例では３辺に沿って延在するように構成され、残りの１辺には形成
されていない。金属部材５０ｙは基本的に樹脂基材５０ｘの内部に被覆されているが、枠
形状の内側及び外側においてそれぞれ樹脂基材５０ｘから露出してなる露出部５０ｙ２、
５０ｙ３を備えている。露出部５０ｙ２は枠形状の内側の厚み方向の中間部分において樹
脂基材５０ｘから露出した内側露出部であり、露出部５０ｙ３は枠形状の外側において樹
脂基材５０ｘから露出した外側露出部である。
【００４０】
保持枠５０の枠形状の内側には樹脂基材５０ｘの一部が内側に張り出し、この樹脂基材
５０ｘの張り出し部分の上面で内側支持面５０ｔが構成され、また、樹脂基材５０ｘの張
り出し部上に配置された上記露出部５０ｙ２の表面によって上方を向いた水平な内側支持
面５０ｓが構成されている。なお、保持枠５０の底面５０ｖは樹脂基材５０ｘによって構
成され、一様な平坦面（水平面）となっている。
【００４１】
図９及び図１０に示すように、保持枠５０の内側には照明体６０及び電気光学パネル７
０が保持されている。照明体６０は図示しない光源と、この光源から放出された光を導い
て上方に出射する導光板６２と、導光板６２の背後に配置された反射シート６３と、導光
板６２の光出射面上に配置された光学シート６４とを備えている。また、電気光学パネル
７０は、ガラス等よりなる基板７１と７２が貼り合わされ、その間に図示しない液晶等の
電気光学物質が配置されている。基板７１、７２の外面上にはそれぞれ偏光板７６、７７
が貼着等により配置されている。
【００４２】
図９に示すように、金属部材５０ｙには樹脂基材５０ｘ内に被覆された内在部５０ｙ１
が設けられ、この内在部５０ｙ１より内側へ延在して枠形状の内側に露出した内側露出部
５０ｙ２の表面が上記内側支持面５０ｓを構成し、この内側支持面５０ｓによって光学シ
ート６４が支持されている。また、光源シート６４上には上記電気光学パネル７０が保持
されている。光学シート６４と電気光学パネル７０とは図示しない両面テープ等で固定さ
れていてもよく、或いは、保持枠５０の係合部に係合保持された電気光学パネル７０が光
学シート６４を押さえつけた構造であってもよい。
【００４３】
また、図１０に示すように、別の断面位置では金属部材５０ｙが枠形状の外側に露出し
た外側露出部５０ｙ３を有し、この外側露出部５０ｙ３は内側露出部５０ｙ２と導電接続
されている。外側露出部５０ｙ３はステンレス鋼等の金属素材よりなる外枠（ベゼル）８
１に係合し、導電接続している。この外枠８１は保持枠５０の上方に回り込み、電気光学
パネル７０を上方から保持している。
【００４４】
本実施形態でも、第１実施形態と同様に以下のような効果を奏する。すなわち、樹脂基
材５０ｘと金属部材５０ｙとが一体化されていることで、枠形状に構成された保持枠５０
の剛性を高めることができる。特に、保持枠５０をインサート成形によって一体に構成す
れば剛性の向上効果はさらに高まる。また、内側支持面５０ｓが背後に樹脂基材５０ｘで
支持された内側露出部５０ｙ２の表面で構成されることにより、当該内側支持面５０ｓに
て支持される部材の位置決めを高精度に行うことができる。さらに、内側露出部５０ｙ２
を保持枠５０の内側に保持される部材と当接させることで、静電気を金属部材５０ｙに逃
がすことが可能になる。その上、内側露出部５０ｙ２に導電接続された外側露出部５０ｙ
３からさらに外部へと静電気を逃がすことも可能である。
【００４５】
図１１は上記とは別の保持枠５０の断面構造を示すものである。この例では、金属部材
５０ｙが内在部５０ｙ１及び露出部５０ｙ２、５０ｙ３を有しているが、外側露出部５０
ｙ３が樹脂基材５０ｘの外側面より上方に回り込み、樹脂基材５０ｘの上面上から内側に
伸びて、電気光学パネル７０の外面に設けられた外部電極７９に導電接続されている。こ
こで、外部電極７９は基板７２の内面上から外面上に引き出されている。また、外側露出
部５０ｙ３は保持枠５０に嵌合固定された金属フレーム８２に導電接続されており、これ
によって静電気をさらに効果的に逃がすことが可能になる。
【００４６】
［電気光学パネルの構成例］
次に、図１２及び図１３を参照して、上記の各実施形態に好適な電気光学パネルの構成
例について説明する。以下に説明する電気光学パネルは図５及び図１１に示す構成に用い
る電気光学パネルとして特に好適なものである。
【００４７】
この電気光学パネルは、一方の基板上には電極が存在せず、他方の基板上にのみ液晶に
電界を付与するための２種類の電極を備えた横電界方式の液晶表示パネルである。図１２
はこの液晶表示パネル２００の全体構成を模式的に示す概略構成縦断面図である。液晶表
示パネル２００は、ガラスやプラスチックなどで構成された透明な基板２１０及び２２０
を、シール材２３０を介して貼り合わせてセル構造を形成し、その内部に液晶２３１を封
入して構成される。ここで、図１２に示すように、基板２１０は、基板２２０の外縁より
外側へ張り出した張り出し部２１０Ｔを有している。また、基板２１０の外面上には偏光
板２１９が設置され、また、基板２２０の外面上には偏光板２２９が設置されている。
【００４８】
上記の液晶表示パネル２００には、一般的には、基板２１０側にバックライトとして図
示しない照明装置（面状光源）が隣接配置され、この照明装置から放出された照明光が偏
光板２１９、基板２１０、液晶２３１、基板２２０、偏光板２２９を順次に通過すること
でサブ画素Ｐごとに光が変調され、その結果、表示領域２００Ａに所望の画像が形成され
る。
【００４９】
ここで、液晶表示パネル２００の内部構造について説明する。図１３（ａ）には液晶表
示パネル２００における１つのサブ画素Ｐの拡大縦断面図を示す。ここでは、液晶表示パ
ネル２００は、一例として、ＦＦＳ（Ｆｒｉｎｇｅ  Ｆｉｅｌｄ  Ｓｗｉｔｃｈｉｎｇ）
方式の液晶表示パネルであるとする。ただし、横電界モードとしてはＩＰＳ（Ｉｎ−ｐｌ
ａｎｅ  Ｓｗｉｔｃｈｉｎｇ）方式などの他形式の液晶表示パネルとしてもよい。
【００５０】
先にも述べたように、液晶表示パネル２００は、基板２１０及び基板２２０の間に液晶
２３１を配置することで構成されている。基板２１０の内面上には、ＩＴＯなどの透明導
電体により共通電極２１１が面状に形成されている。共通電極２１１の内面上には、アク
リル樹脂などにより絶縁層２１２が面状に形成され、共通電極２１１を被覆している。絶
縁層２１２の内面上にはＩＴＯなどの透明導電体により画素電極２１３が形成されている
。また、基板２１０の内面上の一部領域（図示例ではシール材２３０の外側の領域）に、
アライメントマーク２１８が形成されている。このアライメントマーク２１８は後述する
アライメントマーク２２８とともに基板２１０と２２０を貼り合わせる際のアライメント
に用いられるマークである。
【００５１】
一方、基板２２０の内面上にはカラーフィルタ層２２３が形成されている。また、カラ
ーフィルタ層２２３の内面上には、必要に応じて保護膜２２４が形成され、さらにその内
面上には配向膜２２５が形成されている。カラーフィルタ層２２３の一部領域（図示例で
はシール材２３０の外側の領域）にアライメントマーク２２８が設けられ、このアライメ
ントマーク２２８は上記アライメントマーク２１８と対応する位置（アライメント可能な
位置）に形成されている。
【００５２】
図１３（ｂ）には画素電極２１３の平面図を示す。図１３（ｂ）に示すように、画素電
極２１３は櫛歯形状をなしている。具体的には、画素電極２１３は、それぞれ直線状に構
成され、相互にストライプ状に配列された導電部２１３ａ、導電部２１３ｂ、導電部２１
３ｃ、導電部２１３ｄ、導電部２１３ｅの各導電部より構成され、これらの複数の導電部
が一体化されている。液晶表示パネル２００は、画素電極２１３の各導電部２１３ａ〜２
１３ｅと共通電極２１１との間で横方向の電界（横電界）Ｅを発生させる。
【００５３】
図１２に戻り説明を続けると、上記のように構成された液晶表示パネル２００では、表
示領域２００Ａ内に複数のサブ画素Ｐが配列されている。サブ画素Ｐはカラーフィルタ層
２２３内に構成された複数色のフィルタ領域のいずれかを含み、これらの領域と対応した
平面範囲を占める。また、サブ画素Ｐ間には遮光領域として形成された画素間領域Ｇが構
成され、当該部分がカラーフィルタ層２２３内の遮光層によって遮光されることにより、
上記電界Ｅによる制御が不十分な画素間領域Ｇ内の液晶２３１の配向状態による光漏れ等
が防止され、表示品位が確保される。
【００５４】
ここで、図示例ではカラーフィルタ層２２３が基板２２０の内面上に全面的に形成され
ており、これによって上記のカラーフィルタ層２２３の形成工程において選択的塗布法や
パターニング処理を不要とすることが可能となっている。ただし、シール材２３０との密
着性、液晶２３１の厚み等に応じて、カラーフィルタ層２２３をシール材２３０の内側の
領域に限定して形成してもよい。
【００５５】
また、基板２１０の張り出し部２１０Ｔの表面上には、ＣＯＧ（Ｃｈｉｐ  Ｏｎ  Ｇｌ
ａｓｓ）技術により、液晶駆動用ＩＣ（ドライバ）である駆動回路２３２が直接配置され
ている。液晶表示パネル２００の端部には、フレキシブル基板たるＦＰＣ（Ｆｌｅｘｉｂ
ｌｅ  Ｐｒｉｎｔｅｄ  Ｃｉｒｃｕｉｔ）２３３が配置されている。また、基板２１０の
張り出し部２１０Ｔの表面上には、例えば、銅箔をフォトエッチング法などによりパター
ニング形成することで、配線２１５、２１６、２１７が形成されている。駆動回路２３２
の一部の端子は基板２１０の張り出し部２１０Ｔ上に形成された配線２１７を通じてＦＰ
Ｃ２３３に電気的に接続されている。
【００５６】
共通電極２１１は、基板２１０の張り出し部２１０Ｔ上に形成された配線２１５を通じ
て駆動回路２３２の共通電位用端子（ＣＯＭ端子）と電気的に接続されている。画素電極
２１３は、基板２１０の張り出し部２１０Ｔ上に形成された配線２１６（配線２１５が示
される図１２の断面とは異なる断面位置に形成されている。）を通じて駆動回路２３２の
一部の端子と電気的に接続されている。駆動回路２３２は、外部の電子機器からＦＰＣ２
３３を介して供給された制御信号を基に電界Ｅの大きさを制御する。横電界方式の液晶表
示パネル２００では、電界Ｅの大きさを制御することにより、液晶２３１における液晶分
子の配向状態を変化させ、表示画面における階調を変化させる。
【００５７】
以上説明した液晶表示パネル２００では、基板２２０の内面に電極が形成されず、基板
２１０の内面上に形成された共通電極２１１と画素電極２１３との間に所定の駆動電位を
与えることで液晶２３１を駆動しているので、基板２２０の内面が帯電すると、その静電
力によって液晶２３１に印加される電界が影響を受け、表示品位が悪化する。そこで、図
示一点鎖線で示す外部電極２９、或いは、図示二点鎖線で示す外部電極７９を設け、図５
又は図１１に示す構成で静電気を外部へ逃がすことで、上記液晶表示パネル２００の表示
品位を維持することができる。
【００５８】
［電子機器］
最後に、上述した各実施形態に係る電気光学装置を電子機器に搭載してなる実施形態に
説明する。この電子機器は、上記液晶表示パネル２００を表示部に搭載してなる電子機器
であり、図１４は、電子機器における液晶表示パネル２００に対する制御系（表示制御系
）の全体構成を示す概略構成図である。ここに示す電子機器は、表示情報出力源２９１と
、表示情報処理回路２９２と、電源回路２９３と、タイミングジェネレータ２９４と、バ
ックライト２５０への電力供給を行う光源制御回路２９５とを含む表示制御回路２９０を
有する。また、電気光学装置（液晶表示装置）には、上述の構成を有する液晶表示パネル
２００と、この液晶表示パネル２００を駆動する駆動回路２３２と、液晶表示パネル２０
０を照明するためのバックライト２５０とが設けられている。この駆動回路２３２は、上
記のように液晶表示パネル２００に直接実装されている電子部品で構成されるが、上記の
ような態様の他に、液晶表示パネル２００の基板表面上に形成された回路パターン、或い
は、液晶表示パネル２００に導電接続された回路基板（上記のＦＰＣ２３３）上に実装さ
れた半導体ＩＣチップ若しくは回路パターンなどによっても構成することができる。
【００５９】
表示情報出力源２９１は、ＲＯＭ（Read Only Memory）やＲＡＭ（Random Access Memo
ry）等からなるメモリと、磁気記録ディスクや光記録ディスク等からなるストレージユニ
ットと、デジタル画像信号を同調出力する同調回路とを備え、タイミングジェネレータ２
９４によって生成された各種のクロック信号に基づいて、所定フォーマットの画像信号等
の形で表示情報を表示情報処理回路２９２に供給するように構成されている。
【００６０】
表示情報処理回路２９２は、シリアル−パラレル変換回路、増幅・反転回路、ローテー
ション回路、ガンマ補正回路、クランプ回路等の周知の各種回路を備え、入力した表示情
報の処理を実行して、その画像情報をクロック信号ＣＬＫと共に駆動回路２３２へ供給す
る。駆動回路２３２は、走査線駆動回路、信号線駆動回路及び検査回路を含む。また、電
源回路２９３は、上述の各構成要素にそれぞれ所定の電圧を供給する。
【００６１】
光源制御回路２９５は、電源回路２９３から供給される電圧に基づいてバックライト２
５０の光源に電力を供給し、所定の制御信号に基づいて光源の点灯の有無及びその輝度等
を制御するようになっている。
【００６２】
図１５は、本発明に係る電子機器の一実施形態である携帯電話機を示している。ここに
示す携帯電話機１０００は、複数の操作ボタン、送話口などを備えた操作部１００１と、
受話口などを備えた表示部１００２とを有し、表示部１００２の内部に上記の液晶表示パ
ネル２００が組み込まれてなる。そして表示部１００２の表面（内面）上に液晶表示パネ
ル２００の表示領域２００Ａ（図１２参照）を視認することができるようになっている。
この場合、携帯電話機１０００の内部には、上記液晶表示パネル２００を制御する上記の
表示制御回路２９０が設けられる。この表示制御回路２９０は液晶表示パネル２００の表
示態様を決定する。
【００６３】
また、本発明に係る電子機器としては、図１５に示す携帯電話機の他に、液晶テレビ、
カーナビゲーション装置、ページャ、電子手帳、電卓、ワークステーション、テレビ電話
、ＰＯＳ端末機などが挙げられる。そして、これらの各種電子機器の表示部として本発明
に係る液晶表示装置を用いることができる。
【００６４】
尚、本発明は、上述の図示例にのみ限定されるものではなく、本発明の要旨を逸脱しな
い範囲内において種々変更を加え得ることは勿論である。例えば、上記の実施形態におい
ては、電気光学パネルの例示として液晶表示パネルを備えた液晶表示装置について説明し
たが、本発明は、液晶表示装置に限らず、有機エレクトロルミネッセンス表示装置や電気
泳動表示装置などの他の電気光学装置であっても構わない。
【図面の簡単な説明】
【００６５】
【図１】第１実施形態の電気光学装置の概略分解斜視図。
【図２】第１実施形態の電気光学装置の拡大部分断面図（図１のII−II線に沿った断面図）。
【図３】異なる断面形状を示す拡大部分縦断面図。
【図４】さらに異なる断面形状を示す拡大部分断面図。
【図５】さらに別の断面形状を示す拡大部分断面図。
【図６】図２に示す断面形状の変形例を示す拡大部分縦断面図。
【図７】第２実施形態の保持枠の上方斜視図。
【図８】同保持枠の下方斜視図。
【図９】第２実施形態の拡大部分断面図（図７のＶ−Ｖ線に沿った断面図）。
【図１０】第２実施形態の拡大部分断面図（図７のVI−VI線に沿った断面図）。
【図１１】異なる断面形状を示す拡大部分断面図。
【図１２】電気光学パネルの構成例を示す概略縦断面図。
【図１３】電気光学パネルの画素構造を示す拡大部分断面図。
【図１４】電子機器の制御系の構成を示す概略構成図。
【図１５】電子機器の外観を示す概略斜視図。
【符号の説明】
【００６６】
１００…電気光学装置、１０…照明体、１１…光源、１２…導光板、１４…光学シート、
２０、２００…電気光学パネル、２１，２２…基板、３０、５０…保持枠、３０ｘ、５０
ｘ…樹脂基材、３０ｙ、５０ｙ…金属部材、３０ｙ１、５０ｙ１…内在部、３０ｙ２、５
０ｙ２…露出部（内側露出部）、３０ｙ３、５０ｙ３…露出部（外側露出部）、３０ｓ、
３０ｔ、５０ｓ、５０ｔ…内側支持面、２９，７９…外部電極
【図１】
2008256955.tif 000003
【図２】
2008256955.tif 000004
【図３】
2008256955.tif 000005
【図４】
2008256955.tif 000006
【図５】
2008256955.tif 000007
【図６】
2008256955.tif 000008
【図７】
2008256955.tif 000009
【図８】
2008256955.tif 000010
【図９】
2008256955.tif 000011
【図１０】
2008256955.tif 000012
【図１１】
2008256955.tif 000013
【図１２】
2008256955.tif 000014
【図１３】
2008256955.tif 000015
【図１４】
2008256955.tif 000016
【図１５】
2008256955.tif 000017